(57)【要約】【課題】感染症などの治療等に役立つ多種多様な情報を迅速かつ的確に提供する。【解決手段】感染症情報提供システム３００は、ユーザ端末４５０からＩＤ及びパスワードを受け取ると、正当なユーザからのアクセスであるか否かを判断する。感染症情報提供システム３００は、正当なユーザからのアクセスであると判断した場合、かかるユーザに対して感染症状況の提供を許可するが、該ユーザに提供可能な感染症情報の範囲については、ユーザの種類に応じて図３に示すように制限する。【選択図】        図１
2004234459.tif 000002
【特許請求の範囲】
【請求項１】
治療の指標となる治療指標情報を管理下にある各ユーザ端末に提供するサーバであって、
ユーザ端末から前記治療指標情報の要求を受信する受信手段と、
前記ユーザ端末に対し、前記治療指標情報の要求を許可するか否かを判断するための判断基礎情報の送信を要求する要求手段と、
前記ユーザ端末から前記判断基礎情報を受信した場合、受信した判断基礎情報に基づいて前記治療指標情報の要求を許可するか否かを判断する判断手段と
前記判断手段によって許可すると判断された場合、前記治療指標情報を前記ユーザ端末に送信する送信手段と
を具備することを特徴とする治療指標情報提供サーバ。
【請求項２】
感染症治療の指標となる細菌検査結果を含む治療指標情報を管理下にある複数種類のユーザ端末に提供するサーバであって、
前記ユーザ端末に提供可能な治療指標情報の範囲を示す情報であり、該ユーザ端末の種類毎に提供可能な治療指標情報の範囲が異なる提供範囲情報を記憶する記憶手段と、
ユーザ端末から前記治療指標情報の要求を受信する受信手段と、
前記ユーザ端末に対し、前記治療指標情報の要求を許可するか否かの判断及び当該ユーザ端末の種類を特定するための判断基礎情報の送信を要求する要求手段と、
前記ユーザ端末から前記判断基礎情報を受信した場合、受信した判断基礎情報に基づいて前記治療指標情報の要求を許可するか否かを判断する判断手段と、
前記判断手段によって許可すると判断された場合、前記判断基礎情報からユーザの種類を特定すると共に、前記提供範囲情報から当該ユーザ端末に提供可能な前記治療指標情報の範囲を決定する決定手段と、
前記決定手段によって決定された範囲内の前記治療指標情報を前記ユーザ端末に送信する送信手段と
を具備することを特徴とする治療指標情報提供サーバ。
【請求項３】
前記提供可能な治療指標情報は、前記細菌検査結果に関する少なくとも１つ以上の統計情報であることを特徴とする請求項２に記載の治療指標情報提供サーバ。
【請求項４】
前記統計情報の少なくとも１つは、前記ユーザ端末によって指定される菌の薬剤毎の感受性の検査結果を示す指定菌薬剤感受性情報、若しくは前記ユーザ端末によって指定される条件に合致した細菌検査により検出された菌種の一覧を示す菌分離状況情報であることを特徴とする請求項３に記載の治療指標情報提供サーバ。
【請求項５】
前記治療指標情報には、菌種情報、感染症情報、薬剤情報の少なくともいずれか１つを含むことを特徴とする請求項２に記載の治療指標情報提供サーバ。
【請求項６】
治療の指標となる治療指標情報を管理下にある各ユーザ端末に提供する方法であって、
ユーザ端末から前記治療指標情報の要求を受信した場合、前記ユーザ端末に対し、前記治療指標情報の要求を許可するか否かを判断するための判断基礎情報の送信を要求し、
前記ユーザ端末から前記判断基礎情報を受信した場合、受信した判断基礎情報に基づいて前記治療指標情報の要求を許可するか否かを判断し、
前記判断手段によって許可すると判断された場合、前記治療指標情報を前記ユーザ端末に送信することを特徴とする治療指標情報提供方法。
【請求項７】
治療の指標となる治療指標情報を管理下にある各ユーザ端末に提供するコンピュータに、
ユーザ端末から前記治療指標情報の要求を受信する受信機能と、
前記ユーザ端末に対し、前記治療指標情報の要求を許可するか否かを判断するための判断基礎情報の送信を要求する要求機能と、
前記ユーザ端末から前記判断基礎情報を受信した場合、受信した判断基礎情報に基づいて前記治療指標情報の要求を許可するか否かを判断する判断機能と、
前記判断機能によって許可すると判断された場合、前記治療指標情報を前記ユーザ端末に送信する送信機能とを実現させるためのプログラム。
【請求項８】
請求項７に記載のプログラムを記録したコンピュータ読み取り可能な記録媒体。
【発明の詳細な説明】
【０００１】
【発明の属する技術分野】
本発明は、治療指標情報提供サーバ、治療指標情報提供方法、プログラム及び該プログラムを記録した記録媒体に関する。
【０００２】
【従来の技術】
感染症をめぐる問題は、免疫療法や放射線療法などによる易感染状態の患者の増加、ＭＲＳＡ（メチシリン耐性黄色ブドウ球菌）などの耐性菌の院内感染など、重大かつ多彩になっている。かかる感染症の原因となる微生物（細菌、ウイルス等）の同定等を行う検査室においては、この検査を迅速化するとともに、該微生物についての基礎知識や院内感染発生状況をリアルタイムに把握し、どのような対策をなすべきかという情報をいち早く臨床現場に提供することが求められている。
【０００３】
このような状況を踏まえ、病院内の入院患者や医師等の院内作業者に対して各種細菌の感染状態を検査することにより、感染者（保菌者）の菌種データを取得し、この菌種データと保菌者の常駐位置データとから菌種別保菌者の院内分布データを作成し、菌種別保菌者の院内分布を的確に把握するといった技術が提案されている（例えば、特許文献１参照）。
【０００４】
【特許文献１】
特開平７−７９９２９号（第３頁及び第４頁、第９図、第１１図等）
【０００５】
【発明が解決しようとする課題】
上記技術によれば、菌種別保菌者の院内分布を的確に把握することができるが、感染症対策を行う上では、より適切かつ詳細な免疫的統計情報を迅速に提供することが重要になっている。
【０００６】
ここで、例えば検査材料（喀痰、尿、膿等）・診療科・病棟など毎に、指定菌の月別検出推移や任意の指定期間における各種菌の検出頻度を求めること等ができれば、より自由度の高い免疫的統計解析を行うことができ、結果として治療等に役立つ有益な情報を多数提供することができるが、病院内にこのような有益な情報を提供するシステムを構築するためには、多大な費用と時間を要する。
【０００７】
本発明は、以上説明した事情を鑑みてなされたものであり、感染症などの治療等に役立つ多種多様な情報を迅速かつ的確に提供することができる治療指標情報提供サーバ、治療指標情報提供方法、プログラム及び該プログラムを記録した記録媒体を提供することを目的とする。
【０００８】
【課題を解決するための手段】
上述した問題を解決するため、本発明は、治療の指標となる治療指標情報を管理下にある各ユーザ端末に提供するサーバであって、ユーザ端末から前記治療指標情報の要求を受信する受信手段と、前記ユーザ端末に対し、前記治療指標情報の要求を許可するか否かを判断するための判断基礎情報の送信を要求する要求手段と、前記ユーザ端末から前記判断基礎情報を受信した場合、受信した判断基礎情報に基づいて前記治療指標情報の要求を許可するか否かを判断する判断手段と、前記判断手段によって許可すると判断された場合、前記治療指標情報を前記ユーザ端末に送信する送信手段とを具備することを特徴とする。
【０００９】
また、本発明は、感染症治療の指標となる細菌検査結果を含む治療指標情報を管理下にある複数種類のユーザ端末に提供するサーバであって、前記ユーザ端末に提供可能な治療指標情報の範囲を示す情報であり、該ユーザ端末の種類毎に提供可能な治療指標情報の範囲が異なっている提供範囲情報を記憶する記憶手段と、ユーザ端末から前記治療指標情報の要求を受信する受信手段と、前記ユーザ端末に対し、前記治療指標情報の要求を許可するか否かの判断及び当該ユーザ端末の種類を特定するための判断基礎情報の送信を要求する要求手段と、前記ユーザ端末から前記判断基礎情報を受信した場合、受信した判断基礎情報に基づいて前記治療指標情報の要求を許可するか否かを判断する判断手段と、前記判断手段によって許可すると判断された場合、前記判断基礎情報からユーザの種類を特定すると共に、前記提供範囲情報から当該ユーザ端末に提供可能な前記治療指標情報の範囲を決定する決定手段と、前記決定手段によって決定された範囲内の前記治療指標情報を前記ユーザ端末に送信する送信手段とを具備することを特徴とする。
【００１０】
ここで、上記構成にあっては、前記提供可能な治療指標情報は、前記細菌検査結果に関する少なくとも１つ以上の統計情報である態様が好ましい。
さらに、前記統計情報の少なくとも１つは、前記ユーザ端末によって指定される菌の薬剤毎の感受性の検査結果を示す指定菌薬剤感受性情報、若しくは前記ユーザ端末によって指定される条件に合致した細菌検査により検出された菌種の一覧を示す菌分離状況情報である態様が好ましい。
【００１１】
【発明の実施の形態】
以下、図面を参照しながら本発明の実施の形態について説明する。
【００１２】
Ａ．本実施形態
図１は、本実施形態に係る感染症情報コントロールシステム１００の概念構成を示す図である。
細菌受託システム２００は、営業所４００や顧客５００から細菌検査依頼及び検査材料（喀痰、尿、膿等）を受け付けると、上記検査の依頼内容を検査依頼情報として検査依頼情報データベースＤＢ０１に登録するとともに、細菌検査システム（図示略）に上記検査材料を送って検査を依頼する。細菌検査システムは、かかる依頼を受け付けると、依頼内容に従って検査を行い、細菌受託システム２００に検査結果を返す。細菌受託システム２００は、細菌検査システムから検査結果を受け取ると、これを検査結果情報として検査結果情報データベースＤＢ０２に登録する。
【００１３】
ここで、上記営業所４００、顧客５００は、本来複数存在するが、図１では図面が煩雑になるのを防ぐために１つずつのみ図示している。さらに、細菌受託システム２００についても、図１では１つのみ図示しているが、複数ある場合にも適用可能である。
【００１４】
説明に戻り、感染症情報提供システム３００（治療指標情報提供サーバ）は、細菌受託システム２００から有線通信（若しくは無線通信）によって提供される検査依頼情報及び検査結果情報を一元管理する機能や、管理下にあるユーザからの要求に応じて後述する感染症情報を提供する機能等を備えている。
第１の通信手段は３１０は、細菌受託システム２００から有線通信等によって提供される検査依頼情報及び検査結果情報を受信する。
【００１５】
記憶手段３２０は、検査依頼情報データベースＤＢ１、検査結果情報データベースＤＢ２、知識データベースＤＢ３等を備えている。
検査依頼情報データベースＤＢ１には、第１の通信手段３１０によって受信された検査依頼情報が順次格納される一方、検査結果情報データベースＤＢ２には第１の通信手段３１０によって受信された検査結果情報が順次格納される。
また、知識データベースＤＢ３には、例えば様々な菌に関する詳細情報等が格納されている。
【００１６】
制御手段３３０は、上記ユーザからの要求に応じて図示せぬ記憶機構に格納されている制御プログラムを適宜実行するすることにより、検査依頼情報や検査結果情報を加工し、加工した後の情報（以下、これを総称して「感染症情報」という）をユーザに提供する。なお、上記制御プログラムとしては、例えば報告や報告書を顧客５００に届ける営業所４００及び病院などの顧客５００等のユーザからの要求に応じて、検査依頼情報や検査結果情報を加工するためのプログラム等がある。この制御手段３３０によってユーザに提供される感染症情報は、保菌者に対する治療の指標となる情報（治療指標情報）であり、かかる感染症情報をもとに最適な治療が施される。
【００１７】
第２の通信手段３４０は、各ユーザが対応するユーザ端末４５０を適宜操作することによって送信される感染症情報の要求を通信ネットワーク２５０経由で受信する一方、制御手段３３０から供給される該要求に応じた感染症情報を通信ネットワーク２５０経由で対応するユーザ端末４５０に送信する。
以下、感染症情報提供システム３００の制御手段３３０等によって実現される各機能について詳細に説明する。
【００１８】
＜感染症情報提供判断機能＞
この感染症情報提供判断機能は、本システム３００にアクセスがあった場合、本システムの利用が許可されているユーザからのアクセスであるか否かを判断したり、該ユーザが取得可能な感染症情報の範囲（後述）を制限する機能である。
感染症情報の取得を試みるユーザは、まず、ユーザ端末４５０を利用して感染症情報提供システム３００へアクセスする。感染症情報提供システム３００は、第２の通信手段３４０によってユーザ端末４５０から感染症情報の要求が受信されると、感染症情報の要求を許可するか否かを判断すべく、該ユーザ端末４５０の表示パネル（図示略）に図２に示すメインメニュー画面Ｐ２を表示する。
【００１９】
図２に示すように、メインメニュー画面Ｐ２の左欄Ｌには、ユーザＩＤを入力するためのＩＤ入力欄Ｔ２１（判断基礎情報）及びパスワードを入力するためのパスワード入力欄Ｔ２２（判断基礎情報）が表示され、メインメニュー画面Ｐ２の右欄Ｒには、ユーザが取得可能な感染症情報（例えば、検査依頼情報等）の名前等が表示される。
【００２０】
ユーザは、ＩＤ入力欄Ｔ２１及びパスワード入力欄Ｔ２２にそれぞれＩＤ及びパスワードを入力した後、ログインボタンＢ２１をクリックする。かかる操作がなされると、これらの情報は通信ネットワーク２５０経由で感染症情報提供システム３００に送信される。感染症情報提供システム３００の制御手段３３０は、このＩＤ及びパスワードを受け取ると、記憶手段３２０に格納されている図示せぬデータベースを参照することにより、本システムの利用が許可されている正当なユーザからのアクセスであるか否か、すなわち該ユーザ端末４５０からの感染症情報の要求を許可するか否かを判断する。
【００２１】
詳述すると、該データベースには、本システムの利用が許可されているユーザに対応したユーザＩＤとパスワードが対応づけて登録されている。制御手段３３０は、受け取ったＩＤ及びパスワードと一致するユーザＩＤ及びパスワードが該データベースに格納されているか否かを判断することにより、正当なユーザからのアクセスであるか否かを判断する。
【００２２】
ここで、制御手段３３０は、ユーザＩＤが存在しない、パスワードが一致しない、パスワードの有効期限切れ等の理由により、ログインを許可すべきでないと判断すると、ログインを許可しない旨をユーザ端末４５０に通知し、以下に示す処理を行わない。
【００２３】
一方、制御手段３３０は、上記判断結果により正当なユーザからのアクセスであると判断すると、ＩＤ入力欄Ｔ２１及びパスワード入力欄Ｔ２２を非表示にするとともに、上記感染症情報の名前をリンク表示し、第２の通信手段３４０を介してユーザの要求に応じた感染症情報の提供を可能とする。ただし、制御手段３３０は、ユーザが取得可能な感染症情報の範囲をユーザの種類に応じて図３に示すように制限する。以下、ユーザが取得可能な感染情報の範囲として後述する統計情報の範囲を制限する場合を例に説明する。
【００２４】
図３に示すように、ユーザが営業所である場合（以下、「営業所ユーザ」）、制御手段３３０は、ユーザが集計・取得可能な統計情報の範囲を当該ユーザの配下にある直受病院及びこの直受病院のさらに配下にある配下病院に関するものに制限する。一方、ユーザが直受病院である場合（以下、「直受病院ユーザ」）、制御手段３３０は、ユーザが集計・取得可能な統計情報の範囲を当該ユーザ自身（自病院）及び該ユーザの配下にある配下病院に関するものに制限する。さらに、ユーザが配下病院である場合（以下、「配下病院ユーザ」）、制御手段３３０は、該ユーザが集計・取得可能な統計情報の範囲を当該ユーザ自身（自病院）のみに制限する。
【００２５】
ここで、ユーザの種類を判別する方法としては、例えば各ユーザ毎に異なる種類のユーザＩＤを割り当て、アクセス時に入力されるユーザＩＤから上記判別を行うといった方法等が考えられる。また、具体的な制限内容については、例えば記憶手段３２０の図示せぬデータベースに、各種類のユーザが集計・取得可能な統計情報の範囲を示す情報であって、各ユーザの種類毎に集計・取得可能な範囲が異なる取得範囲情報（提供範囲情報）を記憶する方法等が考えられる。ただし、これらの方法はあくまで一例であって、どのような方法を採用するかは感染症情報提供システム３００の設計等に応じて適宜変更可能である。
これにより、自ユーザが、例えばある地域（○○県等）を統括している直受病院ユーザである場合、管理下にある全ての配下病院ユーザ（当該地域に存する診療所、病院等）の統計をとった統計情報を得ることが可能となる。なお、この統計情報を各配下病院ユーザに開示するか等については直受病院ユーザが適宜設定すれば良い。
さらにまた、病院−診療所連携、病院−病院連携を行っている病院間、病院群および全国型系列病院群においても同様の統計情報を得ることが可能となる。
これらの統計情報を基に全国細菌感染情報の提供も可能となる。なお、この場合においても、上記と同様、管理下にあるユーザに統計情報を開示するか等については統計情報を得るユーザが適宜設定すれば良い。
以上説明した制限を設けることにより、個人情報が不要に流出してしまうといった問題を未然を抑制することが可能となる。
【００２６】
＜検査依頼情報検索・表示機能＞
この検査依頼情報検索・表示機能は、ユーザが表示パネルに表示されている検査依頼情報（図２参照）の欄等をクリックすることによって実現される機能であり、検査依頼情報を検索・表示する機能である。
ここで、図４は、検査依頼情報検索画面Ｐ４を例示した図である。
図４に示すように、検査依頼情報検索画面Ｐ４には、問い合わせ番号若しくはエントリーナンバを指定して検索するためのダイレクト検索記入欄Ｔ４１、被験者氏名若しくはカルテ番号を指定して検索するための被験者検索記入欄Ｔ４２、受付番号若しくはＵＳＥＲＫＥＹ又は整理番号を指定して検索するための番号検索記入欄Ｔ４３、診療科コード若しくは診療科名を指定して検索するための診療科検索記入欄Ｔ４４、病棟コード若しくは病棟名を指定して検索するための病棟検索記入欄Ｔ４５、ドクターコード若しくはドクター名を指定して検索するためのドクター検索記入欄Ｔ４６等が表示される。ユーザは、各検索記入欄Ｔ４１〜Ｔ４６のいずれか１つの検索記入欄に該当する文字等を入力し、検索方法を特定する。
【００２７】
また、ダイレクト検索記入欄Ｔ４１の上方には、絞り込み条件欄Ｔ４７が表示される。この絞り込み条件欄Ｔ４７に表示される内容は、上記ユーザの種類に応じて異なり、例えば営業者ユーザである場合、絞り込み条件欄Ｔ４７には受付日記入欄Ｔ４７ａ、施設コード記入欄Ｔ４７ｂ、ご報告日記入欄Ｔ４７ｄが表示され、これらの記入欄Ｔ４７ａ、Ｔ４７ｂ、Ｔ４７ｄのいずれかが必須入力とされる。一方、直受病院ユーザ若しくは配下病院ユーザである場合、絞り込み条件欄Ｔ４７にはご依頼日記入欄Ｔ４７ｃ、ご報告日記入欄Ｔ４７ｄが表示され、いずれかの記入欄Ｔ４７ｃ、Ｔ４７ｄが必須入力とされる。
【００２８】
ユーザは、上記絞り込み条件欄Ｔ４７に表示される記入欄に必須項目を入力した後、各検索記入欄Ｔ４１〜Ｔ４６のいずれかに該当する文字、番号等を記入し、対応するボタンＢ４１をクリックする。感染症情報提供システム３００の制御手段３３０は、ユーザ端末４５０から該操作内容を受信すると、絞り込み条件欄Ｔ４７の記入欄に入力さた内容及び検索記入欄Ｔ４１〜Ｔ４６のいずれかに入力された内容をチェックする。このチェックで誤りがあると判断すると、制御手段３３０は、ユーザ端末４５０の表示パネルに誤りがある旨を表示する。
【００２９】
一方、誤りがないと判断すると、制御手段３３０は操作内容に応じて検索を行い、ユーザ端末４５０の表示パネルに後述する画面を表示する。具体的には、ユーザによってダイレクト検索記入欄Ｔ４１（図４参照）に該当する番号が記入され、対応するボタン（例えば、問い合わせ番号ボタン）Ｂ４１がクリックされた場合、感染症情報提供システム３００の制御手段３３０は、図５に示す検査依頼詳細画面Ｐ５を表示パネルに表示する。一方、ダイレクト検索記入欄Ｔ４１以外の検索記入欄（例えば、被験者検索記入欄）に該当する番号、文字等が記入され、対応するボタン（例えば、氏名（カナ）ボタン）Ｂ４１がクリックされると、上記制御手段３３０は、図６に示す検査依頼一覧画面Ｐ６を表示パネルに表示する。
【００３０】
ここで、図６に示すように検査依頼一覧画面Ｐ６には、上記検索条件のほか、該当する被験者の氏名、性別、年齢、カルテ番号、・・・整理番号等が一覧表示され、各氏名の左隅には所定のナンバがリンク表示される（ただし、該当する依頼が１件も存在しない場合にはその旨のメッセージが表示される）。ユーザは、この検査依頼一覧画面Ｐ６を参照し、この中から抽出すべき検査依頼情報に対応する上記ナンバをクリックする。感染症情報提供システム３００は、ユーザ端末４５０から該操作内容を受信すると、この操作内容に従って該当する検査依頼詳細画面Ｐ５（図５参照）を表示パネルに表示する。
【００３１】
図５に示すように、検査依頼情報画面Ｐ５の上欄Ｕ５１には、該当する依頼の詳細情報（例えば、施設名、氏名、性別、年齢、カルテ番号、・・・病棟等）が表示される一方、該検査依頼情報画面Ｐ５の下欄Ｄ５１には、検査の種類（図５に示す「一般細菌検査」、「抗酸菌検査」、「特殊検査」）毎に依頼した項目の項目コード、項目名、追加依頼の一覧が表示される。なお、検査結果が既に出ている検査については、対応する検査の種類の右側に検査結果がリンク表示され、この検査結果をクリックすることで後述する検査結果画面が表示される。
【００３２】
＜検査結果情報検索・表示機能＞
この検査結果情報検索・表示機能は、ユーザが表示パネルに表示されている検査結果情報（図２参照）の欄等をクリックすることによって実現される機能であり、検査結果情報を検索・表示する機能である。
【００３３】
ここで、図７は、検査結果情報検索画面Ｐ７を例示した図である。
図７に示すように、検査依頼情報検索画面Ｐ７には、上記検査依頼情報検索画面Ｐ４（図４参照）と同様、問い合わせ番号若しくはエントリーナンバを指定して検索するためのダイレクト検索記入欄Ｔ７１、被験者氏名若しくはカルテ番号を指定して検索するための被験者検索記入欄Ｔ７２、受付番号若しくはＵＳＥＲＫＥＹ又は整理番号を指定して検索するための番号検索記入欄Ｔ７３、診療科コード若しくは診療科名を指定して検索するための診療科検索記入欄Ｔ７４、病棟コード若しくは病棟名を指定して検索するための病棟検索記入欄Ｔ７５、ドクターコード若しくはドクター名を指定して検索するためのドクター検索記入欄Ｔ７６等が表示される。
【００３４】
また、ダイレクト検索記入欄Ｔ７１の上方には、絞り込み条件欄Ｔ７７が表示される。この絞り込み条件欄Ｔ７７に表示される内容及びその機能については、上記検査依頼情報検索画面Ｐ４の絞り込み条件欄Ｔ４７に表示される内容及びその機能と同様であるため、説明を割愛する。
【００３５】
ユーザは、上記絞り込み条件欄Ｔ７７に表示される記入欄に必須項目を入力した後、各検索記入欄Ｔ７１〜Ｔ７６のいずれかに該当する文字、番号等を記入し、対応するボタンＢ７１をクリックする。感染症情報提供システム３００の制御手段３３０は、ユーザ端末４５０から該操作内容を受信すると、絞り込み条件欄Ｔ７７の記入欄に入力さた内容及び検索記入欄Ｔ７１〜Ｔ７６のいずれかに入力された内容をチェックする。なお、このチェック内容（以下の説明についても同様）については、上記検査依頼情報検索・表示機能におけるチェック内容と同様であるため、説明を割愛する。
【００３６】
さて、かかるチェックに誤りがないと判断すると、制御手段３３０は操作内容に応じて検索を行う。この場合、上記検査依頼情報の検索と異なり、いずれの検索記入欄Ｔ７１〜Ｔ７６に記入された場合であっても、図８に示す検査結果一覧画面Ｐ８が表示される。
【００３７】
ここで、図８に示すように検査結果一覧画面Ｐ８には、上記検索条件のほか、該当する被験者の氏名、性別、年齢、カルテ番号、・・・受付番号等が一覧表示され、かかる受付番号の右隣には検査項目毎の検査結果有無を表す検査結果有無情報（検査結果が有るものに○印）がリンク表示される。ユーザは、この検査結果一覧画面Ｐ８を参照し、この中から抽出すべき検査結果に対応する○印をクリックする。感染症情報提供システム３００は、ユーザ端末４５０から該操作内容を受信すると、この操作内容に従って一般細菌検査結果画面Ｐ９（図９参照）、抗酸菌検査結果画面Ｐ１０（図１０参照）、特殊検査結果画面Ｐ１１（図１１参照）の中の該当する検査結果画面を表示パネルに表示する。
【００３８】
＜一般細菌検査画面＞
図９は、一般細菌検査結果画面Ｐ９を例示した図である。
図９に示すように、一般細菌検査結果画面Ｐ９の上欄Ｕ９１には、一般細菌検査に用いた検体の属性情報が一覧表示され、一般細菌検査結果画面Ｐ７の下欄Ｄ９１には、各種検査結果等が一覧表示される。具体的には、塗抹鏡検検査による検査結果、簡易培養検査による検査結果、目的菌検査による検査結果、培養同定検査による検査結果、薬剤感受性検査による検査結果、特殊検査による検査結果等が表示される。
【００３９】
ここで、塗抹鏡検検査は、他の検査（例えば培養同定検査等）よりも簡便性や迅速性に優れているという利点がある（例えば、塗抹鏡検検査による検査結果は１日位で得られるのに対し、培養同定検査による検査結果は３日位かかる）。
従来より、塗抹鏡検検査においては、その形態などから特定の菌種について推定するといったことが行われているが、本実施形態においては、菌種のみならず、菌名等についてまで推定し、推定した菌名を塗抹推定菌として表示する（図９参照）。
【００４０】
ユーザは、この塗抹推定菌を参照することにより、培養同定検査等による検査結果を待つまでもなく、各種検査によって検出されると予測される菌の情報を迅速に得ることができ、これにより、被験者に対する早期治療等が可能となる。なお、この一般細菌検査結果画面Ｐ９の上端にはダウンロードボタンＤＯが表示される。このダウンロードボタンＤＯがユーザによってクリックされ、この操作内容が感染症情報提供システム３００に受信されると、感染症情報提供システム３００は、現在表示されている一般細菌検査結果画面と同一内容のデータを当該ユーザ端末４５０にダウンロードする。
【００４１】
＜抗酸菌検査結果画面＞
図１０は、抗酸菌検査結果画面Ｐ１０を例示した図である。なお、この抗酸菌検査結果画面Ｐ１０については、上記一般細菌検査結果画面Ｐ９と相違する部分についてのみ説明する。
この抗酸菌検査結果画面Ｐ１０の上欄Ｕ１０１には、抗酸菌検査の検索条件が一覧表示される一方、同画面の下欄Ｄ１０１には検査結果等が一覧表示される。具体的には、上記塗抹鏡検検査による検査結果のほか、抗酸菌培養検査（液体法及び小川法）による検査結果、遺伝子検査による検査結果、抗酸菌同定検査による検査結果、ナイアシンテストによる検査結果、薬剤感受性検査による検査結果、抗酸菌特殊検査による検査結果が表示される。なお、抗酸菌検査結果画面Ｐ１０の上端に表示されるダウンロードボタンＤＯの機能については、上記一般細菌検査結果画面Ｐ９の上端に表示されるダウンロードボタンＤＯの機能と同様であるため、説明を割愛する。
【００４２】
＜特殊検査結果画面＞
図１１は、特殊検査結果画面Ｐ１１を例示した図である。なお、この特殊検査結果画面Ｐ１１については、同画面の上欄Ｄ１１１に特殊検査の検索条件が一覧表示され、下欄Ｄ１１１に検査結果等が表示される点を除けば、上記抗酸菌検査結果画面Ｐ１０等と同様であるため、説明を割愛する。
【００４３】
＜精度管理資料検索・表示機能＞
この精度管理資料検索・表示機能は、ユーザが表示パネルに表示されている精度管理資料（図２参照）の欄等をクリックすることによって実現される機能であり、精度管理資料を検索・表示する機能であり、営業所ユーザ限定の機能である。
ここで、図１２は、精度管理資料検索画面Ｐ１２を例示した図である。
図１２に示すように、精度管理資料検索画面Ｐ１２には、受付日を指定して検索するための受付日検索記入欄Ｔ１２１、受付日コメントコードを指定して検索するための受付日コメントコード検索選択欄Ｔ１２２、施設コードを指定して検索するための施設コード検索記入欄Ｔ１２３が表示される。
【００４４】
ユーザは、上記検索記入欄等に必要事項を記入等した後、検索ボタンＢ１３１をクリックする。感染症情報提供システム３００の制御手段３３０は、ユーザ端末４５０から該操作内容を受信すると、上述したチェックを行い、かかるチェックに誤りがないと判断すると、操作内容に応じて検索を行い、該当する精度管理資料一覧を示す精度管理資料一覧画面Ｐ１３（図１３参照）をユーザ端末４５０の表示パネルに表示する。ユーザは、この精度管理資料検索・表示機能を利用することにより、受付コメントコードの付加されている被験者情報を簡易かつ迅速に抽出すること等が可能となる。なお、精度管理資料一覧画面Ｐ１３の上端に表示されるダウンロードボタンＤＯの機能については、上記において説明したダウンロードボタンＤＯの機能と同様であるため、説明を割愛する。
【００４５】
＜菌種情報検索・表示機能＞
この菌種情報検索・表示機能は、ユーザが表示パネルに表示されている菌種情報（図２参照）の欄等をクリックすることによって実現される機能であり、検索された菌に関する詳細情報（菌名、科名、属名など）を表示する機能である。
【００４６】
ここで、図１４は、菌種情報検索画面Ｐ１４を例示した図である。
図１４に示すように、菌種情報検索画面Ｐ１４には、菌英名、菌和名、菌略名のいずれかを指定して検索するための菌種検索記入欄Ｔ１４１、及び菌英名、菌和名、菌略名のいずれかを指定するための菌英名ボタンＢ１４１、菌和名ボタンＢ１４２、菌略名ボタンＢ１４３が表示される。また、菌種検索記入欄Ｔ１４１の下方には、後述する菌種目次画面を表示させるための菌種目次がリンク表示される。
【００４７】
ユーザは、菌種名を指定して検索する場合、菌種検索記入欄Ｔ１４１に菌英名、菌和名、菌略名のいずれかを入力し、対応するボタン（例えば、菌種検索記入欄Ｔ１４１に菌英名を入力した場合には菌英名ボタンＢ１４１）をクリックする。感染症情報提供システム３００の制御手段３３０は、ユーザ端末４５０から該操作内容を受信すると、上述したチェックを行い、かかるチェックに誤りがないと判断すると、該当する菌種一覧を示す菌種一覧画面Ｐ１５（図１５参照）をユーザ端末４５０の表示パネルに表示する。
【００４８】
一方、ユーザは、菌種名を指定することなく、菌種目次から検索する場合、上述した菌種目次（図１４参照）をクリックする。感染症情報提供システム３００の制御手段３３０は、ユーザ端末４５０から該操作内容を受信すると、図１６に示す菌種目次一覧画面Ｐ１６をユーザ端末４５０の表示パネルに表示する。
【００４９】
図１６に示すように、菌種目次一覧画面Ｐ１６には、Ａ〜Ｚまでのアルファベットが表示されると共に、各アルファベットを先頭文字に含む菌英名群がリンク表示される。ユーザは、この菌種目次一覧画面Ｐ１６を参照することにより、検索すべき菌英名群を特定し、この菌英名群をクリックする。感染症情報提供システム３００の制御手段３３０は、ユーザ端末４５０から該操作内容を受信すると、この操作内容に従って指定された菌英名群を含む菌種一覧画面Ｐ１５（図１５参照）をユーザ端末４５０の表示パネルに表示する。
【００５０】
図１５に示すように、菌種一覧画面Ｐ１５には、該当する菌英名、菌和名、菌略名が表示され、このうち菌英名についてはリンク表示される。ユーザは、この菌種一覧画面Ｐ１５を参照することにより、検索すべき菌英名を特定し、この菌英名をクリックする。感染症情報提供システム３００の制御手段３３０は、ユーザ端末４５０から該操作内容を受信すると、まず、該操作内容に基づいて指定された菌を特定する。そして、制御手段３３０は、この菌に関する情報を記憶手段３２０の図示せぬデータベースから取得し、これを菌種情報詳細画面Ｐ１７（図１６参照）としてユーザ端末４５０の表示パネルに表示する。
【００５１】
図１７に示すように、菌種情報詳細画面Ｐ１７には、その菌名、科名、属名、・・・感染症名等が表示され、さらにその菌の画像情報が上記データベースに格納されている場合には、かかる画像情報が菌画像として表示される。ユーザは、この菌種情報詳細画面Ｐ１７を参照することにより、かかる菌が被験者にどのような影響を及ぼすのかといった情報を迅速に得ることができる。
【００５２】
ここで、菌種情報詳細画面Ｐ１７に表示される菌が感染症の原因となる菌である場合には、感染症名の欄に該当する感染症名（例えば、ペスト等）がリンク表示される。この感染症名がユーザによってクリックされると、感染症情報提供システム３００の制御手段３３０により、後述する感染症情報詳細画面がユーザ端末４５０の表示パネルに表示される。
【００５３】
＜感染症情報選択・表示機能＞
この感染症情報選択・表示機能は、ユーザが表示パネルに表示されている感染症情報（図２参照）の欄等をクリックすることによって実現される機能であり、選択された感染症に関する詳細情報（感染症名、病原体名、好発時期、感染経路など）を表示する機能である。
【００５４】
ここで、図１８は、感染症選択一覧画面Ｐ１８を例示した図である。
図１８に示すように、感染症選択一覧画面Ｐ１８には、法類型毎に分類された複数の感染症名がリンク表示されている。ユーザは、この感染症選択一覧画面Ｐ１８を参照することにより、詳細情報を表示すべき感染症名を選択し、この感染症名をクリックする。感染症情報提供システム３００の制御手段３３０は、ユーザ端末４５０から該操作内容を受信すると、まず、該操作内容に基づいて選択された感染症を特定する。
【００５５】
そして、制御手段３３０は、この感染症に関する詳細情報を示す感染症情報詳細画面Ｐ１９（図１９参照）をユーザ端末４５０の表示パネルに表示する。ユーザは、この感染症情報詳細画面Ｐ１９を参照することにより、選択した感染症がどのような感染経路で感染するのかといった情報や、どのような検査を行うべきであるのかといった情報を直ちに得ることができる。なお、感染症の原因となる菌が存在する場合には、感染症情報詳細画面Ｐ１９の病原体名の欄に菌種名がリンク表示される。リンク表示された菌種名がユーザによってクリックされると、該当する菌に対応する菌種情報詳細画面Ｐ１７（図１７参照）が表示される。
【００５６】
＜薬剤情報検索・表示機能＞
この薬剤情報検索・表示機能は、ユーザが表示パネルに表示されている薬剤情報（図２参照）の欄等をクリックすることによって実現される機能であり、予め設定されているリンク先のサイト（例えば、薬剤に関する詳細情報を開示しているサイト等）を参照することができる機能である。
【００５７】
ここで、図２０は、薬剤検索画面Ｐ２０を例示した図である。
図２０に示すように、薬剤検索画面Ｐ２０には、各薬剤の略号、一般名、商品名のいずれかを指定して検索するための薬剤検索記入欄Ｔ２０１、及び各薬剤の略号、一般名、商品名のいずれかを指定するための略号ボタンＢ２０１、一般名ボタンＢ２０２、商品名ボタンＢ２０３が表示される。
【００５８】
ユーザは、所定の薬剤を検索する場合、薬剤検索記入欄Ｔ２０１に薬剤の略号、一般名、商品名のいずれかを入力し、対応するボタン（例えば、薬剤検索記入欄Ｔ２０１に商品名を入力した場合には商品名ボタンＢ２０３）をクリックする。感染症情報提供システム３００の制御手段３３０は、ユーザ端末４５０から該操作内容を受信すると、上述したチェックを行い、かかるチェックに誤りがないと判断すると、該当する薬剤を含む薬剤一覧画面Ｐ２１（図２１参照）をユーザ端末４５０の表示パネルに表示する。
【００５９】
図２１に示すように、薬剤一覧画面Ｐ２１には、各薬剤の略号、一般名が対応づけて表示されると共に、対応する薬剤の商品名がリンク表示される。ユーザは、この薬剤一覧画面Ｐ１９を参照することにより、検索すべき薬剤を特定し、この薬剤の商品名をクリックする。感染症情報提供システム３００の制御手段３３０は、ユーザ端末４５０から該操作内容を受信すると、この操作内容に従って指定された薬剤商品に関する詳細情報が開示されているサイトをユーザ端末４５０の表示パネルに表示する。
【００６０】
なお、感染症情報提供システム３００は、各薬剤の商品名と各薬剤に関する詳細情報が開示されているサイトを特定するＵＲＬとを対応づけて登録した管理テーブル（図示略）を備えている。制御手段３３０は、上記操作内容を受信すると、この管理テーブルを参照することにより、上記サイトを特定し、これをユーザ端末４５０の表示パネルに表示する。ユーザは、かかるサイトを参照することで該薬剤商品に関する詳細情報を迅速に得ることができる。
【００６１】
＜一般細菌統計情報検索・表示機能＞
この一般細菌統計情報検索・表示機能は、ユーザが表示パネルに表示されている一般細菌統計（図２参照）の欄等をクリックすることによって実現される機能であり、一般細菌検査結果に関する各種統計（診療科、病棟毎の検出菌の集計等）を得ることができる機能である。
【００６２】
ここで、図２２は、一般細菌統計一覧画面Ｐ２２を例示した図である。
一般細菌統計一覧画面Ｐ２２には、患者ごとに過去１０回の報告履歴を対象に検出された菌の推移表を表示するための患者検出菌推移Ｒ２２１と、指定した菌が検出されている患者の一覧表を表示するための指定菌検出患者一覧Ｒ２２２と、指定した菌が指定期間（１年間１ヶ月毎など）に出検された検体の検出率（検体総数に対する指定菌検出数）を集計・表示するための指定菌検出推移Ｒ２２３と、指定した菌の検出率を診療科毎などに集計・表示するための指定菌検出状況Ｒ２２４と、特定の診療科等における菌検出頻度の上位１０菌種を集計・表示するための菌分離状況Ｒ２２５と、指定した菌に対する薬剤毎の感受性（ＳＩＲ）を集計・表示するための指定菌薬剤感受性Ｒ２２６と、指定した耐性菌グループの割合を診療科毎等に集計・表示するための耐性菌動向Ｒ２２７がリンク表示される。
【００６３】
ユーザは、この一般細菌統計一覧画面Ｐ２２に表示される上記Ｒ２２１〜Ｒ２２７のいずれかをクリック操作することで、一般細菌検査結果に関する各種統計を得ることが可能となる。以下、各種統計を得るための機能について詳細に説明する。
【００６４】
＜ａ．患者検出菌推移検索・表示機能＞
図２３は、患者毎の検出菌の推移表を検索・表示するための検索画面Ｐ２３を例示した図である。
図２３に示すように、検索画面Ｐ２３には、被験者名（漢字）、被験者名（カナ）、カルテ番号のいずれかを指定して検索するための被験者検索記入欄Ｔ２３１、及び被験者名（漢字）、被験者名（カナ）、カルテ番号のいずれかを指定するための被験者名（カナ）ボタンＢ２３１、被験者名（漢字）ボタンＢ２３２、カルテ番号ボタンＢ２３３が表示される。
【００６５】
また、被験者検索記入欄Ｔ２３１の上方には、絞り込み条件欄Ｔ２３４が表示される。なお、この絞り込み条件欄Ｔ２３４に表示される内容等については、前掲図７に示す絞り込み条件欄Ｔ７７と同様であるため、説明を割愛する。
【００６６】
ユーザは、被験者名（漢字）、被験者名（カナ）を指定して検索する場合、被験者検索記入欄Ｔ２３１に被験者名（漢字）、被験者名（カナ）のいずれかを入力し、対応するボタン（例えば、被験者検索記入欄Ｔ２３１に被験者名（カナ）を入力した場合には被験者名（カナ）ボタンＢ２３１）をクリックする。感染症情報提供システム３００の制御手段３３０は、ユーザ端末４５０から該操作内容を受信すると、上述したチェックを行い、かかるチェックに誤りがないと判断すると、該当する患者一覧画面（図示略）をユーザ端末４５０の表示パネルに表示する。
ユーザは、この患者一覧画面に表示される複数の患者の中から該当する患者を特定し、クリック操作等により該患者を指定する。かかる操作がなされると、ユーザ端末４５０の表示パネルには、後述する詳細画面（図２４参照）が表示される。
【００６７】
一方、ユーザは、カルテ番号を指定して検索する場合、被験者検索記入欄Ｔ２３１にカルテ番号を入力し、カルテ番号ボタンＢ２３３をクリックする。感染症情報提供システム３００の制御手段３３０は、ユーザ端末４５０から該操作内容を受信すると、上述したチェックを行い、かかるチェックに誤りがないと判断すると、上記患者一覧画面を表示することなく、直接、該当する患者の詳細を示す詳細画面をユーザ端末４５０の表示パネルに表示する。
【００６８】
ここで、図２４は、詳細画面Ｐ２４を例示した図である。
詳細画面Ｐ２４には、該当患者の患者情報（カルテ番号等）のほか、該当患者の過去１０回の報告履歴（菌の検出状況）を表す患者検出菌推移表が表示される。詳述すると、患者検出菌推移表の横軸には、検出された日付が表示され、該患者検出菌推移表の縦軸には、菌の検出対象となった材料及び検出された菌の菌名が表示される。
【００６９】
ユーザは、この詳細画面Ｐ２４を参照することにより、該当患者が過去１０回の検査によってどのような菌が検出されたのかといった情報を迅速に把握することができる。なお、この詳細画面Ｐ２４における菌の検出された日付に対応する部分には、それぞれ○がリンク表示される。ユーザは、この○をクリック操作することにより、該当する検査結果（図９参照）についても迅速に取得することができる。
【００７０】
＜ｂ．指定菌検出患者検索・表示機能＞
図２５は、指定菌が検出されている患者を検索するための検索画面Ｐ２５を例示した図である。
図２５に示すように、検索画面Ｐ２５には、指定菌を指定するための指定菌リストボックスＴ２５１、受付日の期間を指定するための受付期間指定ボックスＴ２５２、患者名を指定するための患者検索記入欄Ｔ２５３、材料を指定するための材料リストボックスＴ２５４、・・・、病棟を指定するための病棟リストボックスＴ２５ｎが表示される。なお、この他にもユーザが営業所ユーザである場合には、施設コードを記入するための施設コード記入欄が指定菌リストボックスＴ２５１の上方に表示される。
【００７１】
ユーザは、この検索画面Ｐ２５に表示されている各項目について選択等を行った後、検索ボタンＢ２５１をクリックする。感染症情報提供システム３００の制御手段３３０は、ユーザ端末４５０から該操作内容を受信すると、上述したチェックを行い、かかるチェックに誤りがないと判断すると、受信した選択操作内容に基づいてＡＮＤ検索を行い、指定された菌が検出されている患者の詳細を示す詳細画面（図２６参照）をユーザ端末４５０の表示パネルに表示する。
【００７２】
ここで、図２６は、詳細画面Ｐ２６を例示した図である。
詳細画面Ｐ２６には、上記検索条件が表示されるほか、かかる条件に従って指定菌が検出された該当患者の名前、カルテ番号、性別、・・・病棟など、指定菌検出患者に関する一覧が表示される。ユーザは、この詳細画面Ｐ２６を参照することにより、所定の指定菌がどのような患者について検出されるかといった情報を迅速に得ることが可能となる。
【００７３】
＜ｃ．指定菌検出推移検索・表示機能＞
図２７は、検出推移を表示すべき指定菌を検索するための検索画面Ｐ２７を例示した図である。
図２７に示すように、検索画面Ｐ２７には、指定菌を指定するための指定菌リストボックスＴ２７１、材料を指定するための材料リストボックスＴ２７２、・・・、病棟を指定するための病棟リストボックスＴ２７ｎが表示される。なお、この他にもユーザが営業所ユーザである場合には、施設コードを記入するための施設コード記入欄が指定菌リストボックスＴ２７１の上方に表示される。
【００７４】
ユーザは、この検索画面Ｐ２７に表示されている各項目について選択等を行った後、検索ボタンＢ２７１をクリックする。感染症情報提供システム３００の制御手段３３０は、ユーザ端末４５０から該操作内容を受信すると、上述したチェックを行い、かかるチェックに誤りがないと判断すると、受信した選択操作内容に基づいてＡＮＤ検索を行い、過去１年間における指定菌の検出推移を示す詳細画面（図２８参照）をユーザ端末４５０の表示パネルに表示する。
【００７５】
ここで、図２８は、詳細画面Ｐ２８を例示した図である。
詳細画面Ｐ２８には、上記検索条件が表示されるほか、横軸に過去１年間における１ヶ月毎の指定菌の検出数及び検体総数をとり、縦軸に検出率（＝検出数／検体総数）をとった指定菌検出推移表が表示される。また、この詳細画面Ｐ２８の上端には、ファイルのダウンロードボタンＤＯが表示され、このダウンロードボタンＤＯがユーザによってクリックされると、上記詳細画面Ｐ２８と同一内容の検索条件表、指定菌検出推移表及び指定菌検出推移表をもとにした指定菌検出推移グラフ（図２９参照）が感染症情報提供システム３００からユーザ端末４５０にダウンロードされる。
【００７６】
図２９は、ユーザ端末４５０にダウンロードされたファイルの内容を例示した図である。図２９に示す指定菌検出推移グラフは、横軸に年月をとり、左縦軸に件数、右縦軸に比率（検出率）をとったグラフであり、検出数と検体総数とが棒グラフによって表示され、検出率が折れ線グラフによって表示される。
ユーザは、この指定菌検出推移グラフを参照することにより、１年のうちどの月に所定の菌が頻繁に検出されるかといった情報を迅速に得ることが可能となる。
【００７７】
＜ｄ．指定菌検出状況検索・表示機能＞
図３０は、検出状況を表示すべき指定菌を検索するための検索画面Ｐ３０を例示した図である。
図３０に示すように、検索画面Ｐ３０には、指定菌を指定するための指定菌リストボックスＴ３０１、受付日を指定するための受付リストボックスＴ３０２、材料を指定するための材料リストボックスＴ３０３、・・・、診療科若しくは病棟のいずれかを指定するための横軸ボタンＴ３０ｎが表示される。なお、この他にもユーザが営業所ユーザである場合には、施設コードを記入するための施設コード記入欄が指定菌リストボックスＴ３０１の上方に表示される。
【００７８】
ユーザは、この検索画面Ｐ３０に表示されている各項目について選択等を行った後、検索ボタンＢ３０１をクリックする。感染症情報提供システム３００の制御手段３３０は、ユーザ端末４５０から該操作内容を受信すると、上述したチェックを行い、かかるチェックに誤りがないと判断すると、受信した選択操作内容に基づいてＡＮＤ検索を行い、診療科若しくは病棟毎の指定菌の検出状況を示す詳細画面（図３１参照）をユーザ端末４５０の表示パネルに表示する。
【００７９】
ここで、図３１は、詳細画面Ｐ３１を例示した図である。
詳細画面Ｐ３１には、上記検索条件が表示されるほか、横軸に選択された診療科名若しくは病棟名をとり、縦軸に検出数、検体総数及び検出率（＝検出数／検体総数）をとった指定菌検出状況表が表示される。なお、この詳細画面Ｐ３１の上端には、上記と同様のダウンロードボタンＤＯが表示され、このダウンロードボタンＤＯがユーザによってクリックされると、上記詳細画面Ｐ３１と同一内容の検索条件表、指定菌検出状況表及び指定菌検出状況表をもとにした指定菌検出状況グラフ（図３２参照）が感染症情報提供システム３００からユーザ端末４５０にダウンロードされる。
【００８０】
ここで、図３２に示す指定菌検出状況グラフは、横軸に診療科名若しくは病棟名がとられている点を除けば、図２９に示す指定菌検出推移グラフと同様である。従って、これ以上の説明については割愛する。ユーザは、この指定菌検出状況グラフを参照することにより、所定の指定菌がどの診療科若しくはどの病棟において頻繁に検出されるかといった情報を迅速に得ることが可能となる。
【００８１】
＜ｅ．菌分離状況検索・表示機能＞
図３３は、表示すべき菌の分離状況を検索するための検索画面Ｐ３３を例示した図である。
図３３に示すように、検索画面Ｐ３３には、受付日を指定するための受付リストボックスＴ３３１、材料を指定するための材料リストボックスＴ３３２、・・・、病棟を指定するための病棟リストボックスＴ３３ｎが表示される。なお、この他にもユーザが営業所ユーザである場合には、施設コードを記入するための施設コード記入欄が受付リストボックスＴ３３１の上方に表示される。
【００８２】
ユーザは、この検索画面Ｐ３３に表示されている各項目について選択等を行った後、検索ボタンＢ３３１をクリックする。感染症情報提供システム３００の制御手段３３０は、ユーザ端末４５０から該操作内容を受信すると、上述したチェックを行い、かかるチェックに誤りがないと判断すると、受信した選択操作内容に基づいてＡＮＤ検索を行い、検出された菌種の一覧（検出数の多い１０菌種など）を示す詳細画面（図３４参照）をユーザ端末４５０の表示パネルに表示する。
【００８３】
ここで、図３４は、詳細画面Ｐ３４を例示した図である。
詳細画面Ｐ３４には、上記検索条件が表示されるほか、検出された起炎菌（すなわち、感染症等の原因となる菌）に係る菌種の名前とその検出頻度（割合）等を示す菌分離状況表が表示される。なお、検出された菌種が１１検以上の場合には、上位１０件のみを表示し、それ以下のものについてはその他としてまとめられる。また、この詳細画面Ｐ３４の上端には、上記と同様のダウンロードボタンＤＯが表示され、このダウンロードボタンＤＯがユーザによってクリックされると、上記詳細画面Ｐ３３と同一内容の検索条件表、菌分離状況表及び菌分離状況表をもとにした菌分離状況グラフ（図３５参照）が感染症情報提供システム３００からユーザ端末４５０にダウンロードされる。
【００８４】
ユーザは、図３５に円グラフで示す菌分離状況グラフを参照することにより、どのような条件の下で検査を行った場合にどのような起炎菌が検出されやすいのかといった情報を迅速に得ることができる。
【００８５】
＜ｆ．指定菌薬剤感受性検索・表示機能＞
図３６は、指定菌薬剤感受性を検索するための検索画面Ｐ３６を例示した図である。
図３６に示すように、検索画面Ｐ３６には、菌を指定するための指定菌リストボックスＴ３６１、受付日を指定するための受付リストボックスＴ３６２、・・・、薬剤感受性の判定方法についてＳＩＲ若しくはＭＩＣのいずれかを指定するための横軸ボタンＴ３６ｎが表示される。なお、この他にもユーザが営業所ユーザである場合には、施設コードを記入するための施設コード記入欄が指定菌リストボックスＴ３６１の上方に表示される。
【００８６】
ユーザは、この検索画面Ｐ３６に表示されている各項目について選択等を行った後、検索ボタンＢ３６１をクリックする。感染症情報提供システム３００の制御手段３３０は、ユーザ端末４５０から該操作内容を受信すると、上述したチェックを行い、かかるチェックに誤りがないと判断すると、受信した選択操作内容に基づいてＡＮＤ検索を行い、ＳＩＲ若しくはＭＩＣによる指定菌薬剤感受性の検査結果を示す詳細画面（図３７参照）をユーザ端末４５０の表示パネルに表示する。
【００８７】
ここで、図３７は、ＳＩＲによる指定菌薬剤感受性の検査結果を示す詳細画面Ｐ３７ａを例示した図であり、図３８は、ＭＩＣによる指定菌薬剤感受性の検査結果を示す詳細画面Ｐ３７ｂを例示した図である。
図３７に示すように、詳細画面Ｐ３７ａには、上記検索条件が表示されるほか、横軸に「Ｓ」、「Ｉ」、「Ｒ」・「合計」、縦軸に「薬剤名」をとった指定菌薬剤感受性表が表示され、この画面の上端には、上記と同様のダウンロードボタンＤＯが表示される。
一方、図３８に示すように、詳細画面３７ｂには、上記検索条件が表示されるほか、横軸に０．０３〜１２８までの「ＭＩＣ値」、縦軸に「薬剤名」をとった指定菌薬剤感受性表が表示され、この画面の上端には、上記と同様のダウンロードボタンＤＯが表示される。
【００８８】
このような詳細画面が表示された状態において、上記ダウンロードボタンＤＯがユーザによってクリックされると、上記詳細画面Ｐ３７と同一内容の検索条件表、指定菌薬剤感受性表及び指定菌薬剤感受性表をもとにした指定菌薬剤感受性グラフが感染症情報提供システム３００からユーザ端末４５０にダウンロードされる。
【００８９】
図３９は、ユーザ端末４５０にダウンロードされたＳＩＲに係るファイルの内容を例示した図であり、図４０は、ユーザ端末４５０にダウンロードされたＭＩＣに係るファイルの内容を例示した図である。
図３９に示すＳＩＲに係る指定菌薬剤感受性グラフは、横軸に比率をとり、縦軸に薬剤名をとり、各薬剤毎のＳＩＲ値の検出割合を１００％積み上げ棒グラフで表示したものである。
ユーザは、この指定菌薬剤感受性グラフを参照することにより、指定菌が検出された条件等に応じてどのような薬剤を投与するのが最も好適であるかといった情報を迅速に得ることができる。
一方、図４０に示すＭＩＣに係る指定菌薬剤感受性グラフは、横軸にＭＩＣ値をとり、縦軸に比率をとり、各薬剤毎のＭＩＣ値の検出割合を累積百分率の折れ線グラフで表示したものである。
ユーザは、ＳＩＲではなく、ＭＩＣによる指定菌薬剤感受性の検査結果を利用することにより、投与すべき薬剤名のみならず、当該薬剤の最適な投与量等についても把握することが可能となる。
【００９０】
＜ｇ．耐性菌動向検索・表示機能＞
図４１は、耐性菌動向を検索するための検索画面Ｐ３９を例示した図である。
図４１に示すように、検索画面Ｐ３９には、耐性菌グループを指定するための耐性菌グループリストボックスＴ３９１、受付日を指定するための受付リストボックスＴ３９２、・・・、診療科若しくは病棟のいずれかを指定するための横軸ボタンＴ３９ｎが表示される。なお、この他にもユーザが営業所ユーザである場合には、施設コードを記入するための施設コード記入欄が耐性菌グループリストボックスＴ３９１の上方に表示される。
【００９１】
ユーザは、この検索画面Ｐ３９に表示されている各項目について選択等を行った後、検索ボタンＢ３９１をクリックする。感染症情報提供システム３００の制御手段３３０は、ユーザ端末４５０から該操作内容を受信すると、上述したチェックを行い、かかるチェックに誤りがないと判断すると、受信した選択操作内容に基づいてＡＮＤ検索を行い、診療科若しくは病棟毎の耐性菌の検出比率等を示す詳細画面（図４２参照）をユーザ端末４５０の表示パネルに表示する。
【００９２】
ここで、図４２は、診療科毎の耐性菌の検出比率等を示す詳細画面を例示した図である。
図４２に示すように、詳細画面Ｐ４０には、上記検索条件が表示されるほか、横軸に診療科名若しくは病棟名をとり、縦軸に各耐性菌名をとった耐性菌動向表が表示され、さらに、この画面の上端には、上記と同様のダウンロードボタンＤＯが表示される。
【００９３】
このような詳細画面が表示された状態において、上記ダウンロードボタンＤＯがユーザによってクリックされると、上記詳細画面Ｐ４０と同一内容の検索条件表、耐性菌動向表及び耐性菌動向表をもとにした耐性菌動向グラフ（図４３参照）が感染症情報提供システム３００からユーザ端末４５０にダウンロードされる。
【００９４】
ここで、図４３に示す耐性菌動向グラフは、横軸に診療科名若しくは病棟名をとり、縦軸に検出比率をとり、各耐性菌の検出割合を１００％積み上げ棒グラフで表示したものである。より詳細には、縦軸に感性菌、中間菌、耐性菌（例えば、ＰＳＳＰ、ＰＩＳＰ、ＰＲＳＰ等）に係る検出割合が表示される。
ユーザは、この耐性菌動向グラフを参照することにより、診療科若しくは病棟毎の各耐性菌の検出割合を迅速に把握することが可能となる。
【００９５】
＜抗酸菌統計情報検索・表示機能＞
この抗酸菌統計情報検索・表示機能は、ユーザが表示パネルに表示されている抗酸菌統計（図２参照）の欄等をクリックすることによって実現される機能であり、抗酸菌検査結果に関する各種統計（診療科、病棟毎の検出菌の集計等）を得ることができる機能である。
【００９６】
ここで、図４４は、抗酸菌統計一覧画面Ｐ４２を例示した図である。
抗酸菌統計一覧画面Ｐ４２には、過去の抗酸菌検査項目の結果一覧表を表示するための報告一覧Ｒ４２１と、過去の報告履歴から陽性となった患者の一覧表を表示するための陽性患者一覧Ｒ４２２と、ＤＤＨ法により検出された菌（以下、ＤＤＨ菌という）が検出された患者の一覧表を表示するためのＤＤＨ菌患者一覧Ｒ４２３と、特定の項目に対して材料毎に陽性となった割合を集計・表示するための陽性率Ｒ４２４と、特定の診療科または病棟におけるＤＤＨ菌検出頻度の上位１０菌種を集計・表示するためのＤＤＨ菌分離状況Ｒ４２５がリンク表示される。
【００９７】
ユーザは、この抗酸菌統計一覧画面Ｐ４２に表示される上記Ｒ４２１〜Ｒ４２５のいずれかをクリック操作することで、抗酸菌検査結果に関する各種統計を得ることが可能となる。以下、各種統計を得るための機能について詳細に説明する。
【００９８】
＜ａ．報告一覧検索・表示機能＞
図４５は、検査結果の各項目の結果一覧を検索・表示するための検索画面Ｐ４３を例示した図である。
図４５に示すように、検索画面Ｐ４３には、受付日を指定するための受付リストボックスＴ４３１、患者名を指定するための患者検索記入欄Ｔ４３２、・・・・、病棟を指定するための病棟リストボックスＴ４３ｎ等が表示され、その他にもユーザが営業所ユーザである場合には、施設コードを記入するための施設コード記入欄が受付リストボックスＴ４３１の上方に表示される。
【００９９】
ユーザは、この検索画面Ｐ４３に表示されている各項目について選択等を行った後、検索ボタンＢ４３１をクリックする。感染症情報提供システム３００の制御手段３３０は、ユーザ端末４５０から該操作内容を受信すると、上述したチェックを行い、かかるチェックに誤りがないと判断すると、受信した選択操作内容に基づいてＡＮＤ検索を行い、該当する検査報告一覧を示す詳細画面（図４６参照）をユーザ端末４５０の表示パネルに表示する。
【０１００】
図４６に示すように、詳細画面Ｐ４４には、上記検索条件が表示されるほか、上記検査報告一覧表（詳細には、報告日、受付日、検体番号、・・・、アキュ  ＭＡＣ）が表示される。ユーザは、この詳細画面Ｐ４４に表示される内容を参照することにより、既に最終報告の出ている抗酸菌検査結果を迅速に取得することが可能となる。
【０１０１】
＜ｂ．陽性患者一覧検索・表示機能＞
図４７は、検査結果の中で陽性の結果が出ている陽性患者一覧を検索・表示するための検索画面Ｐ４５を例示した図である。
図４７に示すように、検索画面Ｐ４５には、塗抹鏡検などの項目グループを指定するための項目グループリストボックスＴ４５１、受付日を指定するための受付日リストボックスＴ４５２、・・・・、病棟を指定するための病棟リストボックスＴ４５ｎ等が表示され、その他にもユーザが営業所ユーザである場合には、施設コードを記入するための施設コード記入欄が項目グループリストボックスＴ４５１の上方に表示される。
【０１０２】
ユーザは、この検索画面Ｐ４５に表示されている各項目について選択等を行った後、検索ボタンＢ４５１をクリックする。感染症情報提供システム３００の制御手段３３０は、ユーザ端末４５０から該操作内容を受信すると、上述したチェックを行い、かかるチェックに誤りがないと判断すると、受信した選択操作内容に基づいてＡＮＤ検索を行い、該当する陽性患者一覧を示す詳細画面（図４８参照）をユーザ端末４５０の表示パネルに表示する。
【０１０３】
図４８に示すように、詳細画面Ｐ４６には、上記検索条件が表示されるほか、陽性患者に関する詳細情報（報告日、受付日、検体番号、・・・、結果等）が表示される。ユーザは、この詳細画面Ｐ４６に表示される内容を参照することにより、陽性として認定された患者の詳細情報を迅速に得ることが可能となる。
【０１０４】
＜ｃ．ＤＤＨ菌検出患者一覧検索・表示機能＞
図４９は、ＤＤＨ菌が検出された患者を検索・表示するための検索画面Ｐ４７を例示した図である。
図４９に示すように、検索画面Ｐ４７には、所定のＤＤＨ菌を指定するためのＤＤＨ菌リストボックスＴ４７１、受付日を指定するための受付日リストボックスＴ４７２、・・・・、病棟を指定するための病棟リストボックスＴ４７ｎ等が表示され、その他にユーザが営業所ユーザである場合には、施設コードを記入するための施設コード記入欄がＤＤＨ菌リストボックスＴ４７１の上方に表示される。
【０１０５】
ユーザは、この検索画面Ｐ４７に表示されている各項目について選択等を行った後、検索ボタンＢ４７１をクリックする。感染症情報提供システム３００の制御手段３３０は、ユーザ端末４５０から該操作内容を受信すると、上述したチェックを行い、かかるチェックに誤りがないと判断すると、受信した選択操作内容に基づいてＡＮＤ検索を行い、該当するＤＤＨ菌検出患者一覧を示す詳細画面（図５０参照）をユーザ端末４５０の表示パネルに表示する。
【０１０６】
図５０に示すように、詳細画面Ｐ４８には、上記検索条件が表示されるほか、ＤＤＨ菌検出患者に関する詳細情報（報告日、受付日、検体番号、・・・、検出菌名等）が表示される。ユーザは、この詳細画面Ｐ４８に表示される内容を参照することにより、ＤＤＨ菌が検出された患者の詳細情報を迅速に得ることが可能となる。
【０１０７】
＜ｄ．陽性率検索・表示機能＞
図５１は、陽性率を検索するための検索画面Ｐ４９を例示した図である。
図５１に示すように、検索画面Ｐ４９には、小川培養などの検査項目を指定するための項目リストボックスＴ４９１、受付日を指定するための受付日リストボックスＴ４９２、・・・、単材若しくは材料グループのいずれかを指定するための横軸ボタンＴ４９ｎが表示される。なお、この他にもユーザが営業所ユーザである場合には、施設コードを記入するための施設コード記入欄が項目リストボックスＴ４９１の上方に表示される。
【０１０８】
ユーザは、この検索画面Ｐ４９に表示されている各項目について選択等を行った後、検索ボタンＢ４９１をクリックする。感染症情報提供システム３００の制御手段３３０は、ユーザ端末４５０から該操作内容を受信すると、上述したチェックを行い、かかるチェックに誤りがないと判断すると、受信した選択操作内容に基づいてＡＮＤ検索を行い、単材若しくは材料グループ毎の陽性率（＝陽性数／検体数）等を示す詳細画面（図５２参照）をユーザ端末４５０の表示パネルに表示する。
【０１０９】
図５２に示すように、詳細画面Ｐ５０には、上記検索条件が表示されるほか、横軸に材料名をとり、縦軸に検体数、陽性数、陽性率をとった陽性率表が表示され、さらに、この画面の上端には、上記と同様のダウンロードボタンＤＯが表示される。このような詳細画面が表示された状態において、上記ダウンロードボタンＤＯがユーザによってクリックされると、上記詳細画面Ｐ５０と同一内容の検索条件表、陽性率表及び陽性率表をもとにした陽性率グラフ（図５３参照）が感染症情報提供システム３００からユーザ端末４５０にダウンロードされる。
【０１１０】
図５３に示す陽性率グラフは、横軸に単材若しくは材料グループの名前をとり、左縦軸に件数、右縦軸に比率をとり、陽性数と検体数を棒グラフで表示する一方、陽性率を折れ線グラフで表示したものである。
ユーザは、この陽性率グラフを参照することにより、単材または材料グループ毎の各項目の検出数と検体総数との関係を迅速に把握することができる。
【０１１１】
＜ｅ．ＤＤＨ菌分離状況検索・表示機能＞
図５４は、表示すべきＤＤＨ菌の分離状況を検索するための検索画面Ｐ５２を例示した図である。
図５４に示すように、検索画面Ｐ５２には、受付日を指定するための受付日リストボックスＴ５２１、材料を指定するための材料リストボックスＴ５２２、・・・、病棟を指定するための病棟リストボックスＴ５２ｎが表示される。なお、この他にもユーザが営業所ユーザである場合には、施設コードを記入するための施設コード記入欄が受付日リストボックスＴ５２１が上方に表示される。
【０１１２】
ユーザは、この検索画面Ｐ５２に表示されている各項目について選択等を行った後、検索ボタンＢ５２１をクリックする。感染症情報提供システム３００の制御手段３３０は、ユーザ端末４５０から該操作内容を受信すると、上述したチェックを行い、かかるチェックに誤りがないと判断すると、受信した選択操作内容に基づいてＡＮＤ検索を行い、検出された菌種の一覧（検出数の多い１０菌種など）を示す詳細画面（図５５参照）をユーザ端末４５０の表示パネルに表示する。
【０１１３】
図５５に示す詳細画面Ｐ５３には、上記検索条件が表示されるほか、ＤＤＨ法により検出された抗酸菌（すなわち、ＤＤＨ菌）の菌種の名前とその検出頻度（割合）等を示すＤＤＨ菌分離状況表が表示される。なお、検出された菌種が１１検以上の場合には、上位１０件のみを表示し、それ以下のものについてはその他としてまとめられる。また、この詳細画面Ｐ５３の上端には、上記と同様のダウンロードボタンＤＯが表示され、このダウンロードボタンＤＯがユーザによってクリックされると、上記詳細画面Ｐ５３と同一内容の検索条件表、ＤＤＨ菌分離状況表及びＤＤＨ菌分離状況表をもとにしたＤＤＨ菌分離状況グラフ（図５６参照）が感染症情報提供システム３００からユーザ端末４５０にダウンロードされる。
【０１１４】
ユーザは、図５６に円グラフで示すＤＤＨ菌分離状況グラフを参照することにより、どのような条件の下で検査を行った場合にどのような菌が検出されやすいのかといった情報を迅速に得ることができる。
【０１１５】
以上説明したように、本実施形態に係る感染症情報コントロールシステムによれば、感染症などの治療等に役立つ多種多様な情報を迅速かつ的確に提供することが可能となる。
【０１１６】
Ｂ．変形例
本発明は、上述した実施形態に限定されるものではなく、以下に例示する種々の変形が可能である。
上述した本実施形態では、細菌検査など微生物検査に関する情報を提供する場合について説明したが、例えば血液検査に関する情報など、治療の指標となる情報を提供するあらゆる態様に適用可能である。
【０１１７】
【発明の効果】
以上説明したように、本発明によれば、感染症などの治療等に役立つ多種多様な情報を迅速かつ的確に提供することが可能となる。
【図面の簡単な説明】
【図１】本実施形態における感染症情報コントロールシステムの概念構成を示す図である。
【図２】同実施形態に係るメインメニュー画面を例示した図である。
【図３】同実施形態に係るユーザの種類と各ユーザが検索・取得可能な感染症情報の範囲を説明するための図である。
【図４】同実施形態に係る検査依頼情報検索画面を例示した図である。
【図５】同実施形態に係る検査依頼情報詳細画面を例示した図である。
【図６】同実施形態に係る検査依頼一覧画面を例示した図である。
【図７】同実施形態に係る検査結果情報検索画面を例示した図である。
【図８】同実施形態に係る検査結果情報一覧画面を例示した図である。
【図９】同実施形態に係る一般細菌検査結果画面を例示した図である。
【図１０】同実施形態に係る抗酸菌検査結果画面を例示した図である。
【図１１】同実施形態に係る特殊検査結果画面を例示した図である。
【図１２】同実施形態に係る精度管理資料検索画面を例示した図である。
【図１３】同実施形態に係る精度管理資料一覧画面を例示した図である。
【図１４】同実施形態に係る菌種情報検索画面を例示した図である。
【図１５】同実施形態に係る菌種一覧画面を例示した図である。
【図１６】同実施形態に係る菌種目次一覧画面を例示した図である。
【図１７】同実施形態に係る菌種情報詳細画面を例示した図である。
【図１８】同実施形態に係る感染症選択一覧画面を例示した図である。
【図１９】同実施形態に係る感染症情報詳細画面を例示した図である。
【図２０】同実施形態に係る薬剤検索画面を例示した図である。
【図２１】同実施形態に係る薬剤一覧画面を例示した図である。
【図２２】同実施形態に係る一般細菌統計一覧画面を例示した図である。
【図２３】同実施形態に係る検索画面を例示した図である。
【図２４】同実施形態に係る詳細画面を例示した図である。
【図２５】同実施形態に係る検索画面を例示した図である。
【図２６】同実施形態に係る詳細画面を例示した図である。
【図２７】同実施形態に係る検索画面を例示した図である。
【図２８】同実施形態に係る詳細画面を例示した図である。
【図２９】同実施形態に係るユーザ端末にダウンロードされたファイルの内容を例示した図である。
【図３０】同実施形態に係る検索画面を例示した図である。
【図３１】同実施形態に係る詳細画面を例示した図である。
【図３２】同実施形態に係るユーザ端末にダウンロードされたファイルの内容を例示した図である。
【図３３】同実施形態に係る検索画面を例示した図である。
【図３４】同実施形態に係る詳細画面を例示した図である。
【図３５】同実施形態に係るユーザ端末にダウンロードされたファイルの内容を例示した図である。
【図３６】同実施形態に係る検索画面を例示した図である。
【図３７】同実施形態に係る詳細画面を例示した図である。
【図３８】同実施形態に係る詳細画面を例示した図である。
【図３９】同実施形態に係るユーザ端末にダウンロードされたファイルの内容を例示した図である。
【図４０】同実施形態に係るユーザ端末にダウンロードされたファイルの内容を例示した図である。
【図４１】同実施形態に係る検索画面を例示した図である。
【図４２】同実施形態に係る詳細画面を例示した図である。
【図４３】同実施形態に係るユーザ端末にダウンロードされたファイルの内容を例示した図である。
【図４４】同実施形態に係る抗酸菌統計一覧画面を例示した図である。
【図４５】同実施形態に係る検索画面を例示した図である。
【図４６】同実施形態に係る詳細画面を例示した図である。
【図４７】同実施形態に係る検索画面を例示した図である。
【図４８】同実施形態に係る詳細画面を例示した図である。
【図４９】同実施形態に係る検索画面を例示した図である。
【図５０】同実施形態に係る詳細画面を例示した図である。
【図５１】同実施形態に係る検索画面を例示した図である。
【図５２】同実施形態に係る詳細画面を例示した図である。
【図５３】同実施形態に係るユーザ端末にダウンロードされたファイルの内容を例示した図である。
【図５４】同実施形態に係る検索画面を例示した図である。
【図５５】同実施形態に係る詳細画面を例示した図である。
【図５６】同実施形態に係るユーザ端末にダウンロードされたファイルの内容を例示した図である。
【符号の説明】
１００・・・感染症情報コントロールシステム、２００・・・細菌受託システム、２５０・・・通信ネットワーク、３００・・・感染症情報提供システム、３１０・・・第１の通信手段、３２０・・・記憶手段、３３０・・・制御手段、３４０・・・第２の通信手段、ＤＢ１・・・検査依頼情報データベース、ＤＢ２・・・検査結果情報データベース、ＤＢ３・・・知識データベース、４００・・・営業所、４５０・・・ユーザ端末、５００・・・顧客。
【図１】
2004234459.tif 000003
【図２】
2004234459.tif 000004
【図３】
2004234459.tif 000005
【図４】
2004234459.tif 000006
【図５】
2004234459.tif 000007
【図６】
2004234459.tif 000008
【図７】
2004234459.tif 000009
【図８】
2004234459.tif 000010
【図９】
2004234459.tif 000011
【図１０】
2004234459.tif 000012
【図１１】
2004234459.tif 000013
【図１２】
2004234459.tif 000014
【図１３】
2004234459.tif 000015
【図１４】
2004234459.tif 000016
【図１５】
2004234459.tif 000017
【図１６】
2004234459.tif 000018
【図１７】
2004234459.tif 000019
【図１８】
2004234459.tif 000020
【図１９】
2004234459.tif 000021
【図２０】
2004234459.tif 000022
【図２１】
2004234459.tif 000023
【図２２】
2004234459.tif 000024
【図２３】
2004234459.tif 000025
【図２４】
2004234459.tif 000026
【図２５】
2004234459.tif 000027
【図２６】
2004234459.tif 000028
【図２７】
2004234459.tif 000029
【図２８】
2004234459.tif 000030
【図２９】
2004234459.tif 000031
【図３０】
2004234459.tif 000032
【図３１】
2004234459.tif 000033
【図３２】
2004234459.tif 000034
【図３３】
2004234459.tif 000035
【図３４】
2004234459.tif 000036
【図３５】
2004234459.tif 000037
【図３６】
2004234459.tif 000038
【図３７】
2004234459.tif 000039
【図３８】
2004234459.tif 000040
【図３９】
2004234459.tif 000041
【図４０】
2004234459.tif 000042
【図４１】
2004234459.tif 000043
【図４２】
2004234459.tif 000044
【図４３】
2004234459.tif 000045
【図４４】
2004234459.tif 000046
【図４５】
2004234459.tif 000047
【図４６】
2004234459.tif 000048
【図４７】
2004234459.tif 000049
【図４８】
2004234459.tif 000050
【図４９】
2004234459.tif 000051
【図５０】
2004234459.tif 000052
【図５１】
2004234459.tif 000053
【図５２】
2004234459.tif 000054
【図５３】
2004234459.tif 000055
【図５４】
2004234459.tif 000056
【図５５】
2004234459.tif 000057
【図５６】
2004234459.tif 000058